(57)【要約】【課題】軟弱地盤により支持力の高い良好な砕石杭を形成することができるようにすること。【解決手段】対象地盤ｇを回転掘削手段５で掘り下げ、生じた掘削穴１１上にこれより大径の円筒状ケーシング６を配置し、これに振動加圧を加え、周囲の地盤ｇに液状化現象を生じさせながらこれを地盤ｇ中に圧入し、その後、円筒状ケーシング６を引き上げ、その下方の杭用穴１２中に下端の砕石投入口６ｂから砕石を投入し、次いで、砕石投入口６ｂを閉じた上で、円筒状ケーシング６を介して投入砕石に振動加圧力を加え、周囲の地盤に更に液状化現象を生じさせつつ、投入砕石を締め固め、次いで、以上の円筒状ケーシング６の引き上げから締め固め完了までのサイクルを、杭用穴１２の高さ方向の全範囲について完了するまで繰り返し、その後、液状化現象で沈下した周囲の地盤ｇ上に盛土する。【選択図】  図１
2013204405.tif 000002
【特許請求の範囲】
【請求項１】
対象地盤の対象位置を設計深度まで掘り下げて掘削下穴を形成する下穴作成工程と、
前記掘削下穴より大径で、周側部に砕石装入口を、下端に開閉自在な砕石投入口を、それぞれ備えた円筒状ケーシングを、前記対象地盤の対象位置に形成した前記掘削下穴上に直立状態に配置するケーシング設置工程と、
前記円筒状ケーシングの下端の砕石投入口を閉じた状態で、該円筒状ケーシングを介して前記掘削下穴の周囲の地盤に連続打撃加圧又は振動加圧を加え、該掘削下穴の周囲の地盤に液状化現象を生じさせながら該円筒状ケーシングを設計深度まで圧入するケーシング圧入工程と、
一回分の砕石投入量に見合った高さ分だけ該円筒状ケーシングを引き上げ、下端の砕石投入口を開いた上で、該円筒状ケーシングの周側部の砕石装入口を通じて一回分の投入量の砕石を装入し、下端の砕石投入口からその下方に生じた杭用穴中に砕石を投入し、引き続いて下端の砕石投入口を閉じた上で、該円筒状ケーシングを介して該杭用穴中に投入した砕石に連続打撃加圧又は振動加圧を加え、周囲の地盤に更に液状化現象を生じさせつつ、該投入した砕石を締め固め、その締め固めが完了すると、その後、一回分の砕石投入量に見合った高さ分だけの該円筒状ケーシングの引き上げから投入砕石の締め固めの完了までのサイクルを、前記杭用穴の高さ方向の全範囲について完了するまで繰り返す砕石投入締め固め工程と、
その後に、前記液状化現象で沈下した周囲の地盤上に盛土する盛土工程と、
をその順序で実行する砕石杭形成工法。
【請求項２】
施工機本体に備えた二面リーダーであって、一側に回転駆動手段を、他側に連続打撃加圧手段又は振動加圧手段を、それぞれ備えたリーダーと、
前記回転駆動手段で回転駆動すべくこれに接続し、かつ前記リーダーに沿って垂下させた地盤の回転掘削用の回転掘削手段であって、該地盤に掘削下穴を形成するための回転掘削手段と、
前記連続打撃加圧手段又は前記振動加圧手段で連続打撃加圧又は振動加圧すべくこれに接続する、前記回転掘削手段で形成する掘削下穴より大径の円筒状ケーシングであって、周側に砕石装入口を、下端に砕石投入口を、それぞれ備え、該砕石投入口にこれを閉止した状態で締め固め用の加圧部を兼ねる開閉自在な閉塞手段を構成し、かつ前記リーダーに沿って垂下させた円筒状ケーシングと、
で構成した請求項１の砕石杭形成工法に用いる砕石杭形成装置。
【請求項３】
前記閉塞手段を、
前記円筒状ケーシングの上端に上端を固設し、上部途中に伸縮駆動手段を挿入し、下端を該円筒状ケーシングの下端から突出させ、かつ該円筒状ケーシングの軸心に沿って配したロッドと、
前記ロッドの下端に固設した、該ロッドの短縮時に前記砕石投入口を閉止し、伸長時に開放する閉塞部材であって、下部が該砕石投入口の閉止時に砕石の締め固め用の加圧部となる閉塞部材と、
前記砕石投入口の周縁部に構成した前記閉塞部材の受座と、
で構成した請求項２の砕石杭形成装置。
【請求項４】
前記閉塞部材を球状又は楕円球状に構成し、
前記受座を前記砕石投入口の周縁に沿う環状で、前記球状又は楕円球状の閉塞部材の背後の対応する一部が当接する凹面状に構成したものである請求項３の砕石杭形成装置。
【請求項５】
前記閉塞手段を、
前記円筒状ケーシングの上端に上端を固設し、上部途中に伸縮駆動手段を挿入し、下端を該円筒状ケーシングの下端から突出させ、かつ該円筒状ケーシングの軸心に沿って配したロッドと、
前記砕石投入口に固設した円板状閉塞上板であって、合計で周方向の１８０度を越えない角度幅に開口した一以上の砕石投入用の上側開口部及び前記ロッドを摺動自在に貫通させる中央貫通穴を、それぞれ備えた円板状閉塞上板と、
前記ロッドの下端にその中心を固設した円板状閉塞下板であって、前記円板状閉塞上板の上側開口部と重なり合わないようにして、合計で周方向１８０度を越えない角度幅に開口した一以上の砕石投入用の下側開口部を備えた円板状閉塞下板と、
で構成し、該円板状閉塞上板及び該円板状閉塞下板の下面が砕石の締め固め用の加圧部を兼ねるものである請求項２の砕石杭形成装置。
【請求項６】
前記回転掘削手段を長尺のスクリュウ部材で構成した請求項２、３、４又は５の砕石杭形成装置。
【発明の詳細な説明】
【技術分野】
【０００１】
本発明は、軟弱な建築物用又は建造物用の敷地の地盤を補強する砕石杭をその周囲を締め固めつつ形成する砕石杭形成工法及びこれに用いる砕石杭形成装置に関する。
【背景技術】
【０００２】
軟弱な地盤を補強する砕石杭の形成手段に関してはいくつかの提案例がある。
特許文献１は、その一例で、砕石杭形成用のアタッチメントおよびそのアタッチメントを備える砕石杭形成装置に関する。
【０００３】
この特許文献１に記載の発明は、正逆回転駆動可能な回転駆動手段に接続する回転軸と、その最下部に配した掘削刃を備えた螺旋部と、該回転軸をその軸心に位置させて該螺旋部の直上までを包囲し、かつ該回転軸の正回転に伴って同様に正回転し、逆回転時には停止状態を維持する結合関係の円筒部とからなり、該円筒部の外周には、その長さ方向に沿って長い砕石投入孔を開口し、かつ外周に正回転時に周囲の土砂を上昇させるように形成された螺旋状のフィンを備えたアタッチメントである。
【０００４】
従ってこの特許文献１のアタッチメントを備えた砕石杭形成装置によれば、以下のようにして補強対象の地盤中に砕石杭の形成が行われる。
【０００５】
この装置のアタッチメントを補強対象の地盤の所定の位置に直立させ、前記回転駆動手段で前記回転軸を正回転させると、その最下部の螺旋部の作用で地盤が掘削され、掘削孔を形成しながら地中に侵入し、生じた掘削土砂は、該回転軸の正回転に伴って正回転する前記円筒部外周のフィンの作用で、その外周に沿って上昇し、地表に排出されることになる。このとき、該円筒部中には前記砕石投入口を利用して予め一定量の砕石を投入しておき、下端から掘削土砂が内部に侵入しないように該砕石を詰めておく。
【０００６】
こうして所定の深さまで掘削孔を掘削した後、今度は、前記砕石投入孔を利用して、順次、砕石を投入しながら、前記回転軸を逆回転させ、該掘削孔に砕石を充填しかつ締め固めながら上昇させる。このとき、円筒部は回転しないので、前記砕石投入孔は、円筒部の周方向の一定角度位置に固定され、かつ長さ方向に長いので、砕石投入手段を一定位置に固定しておいても投入を継続することができる。地表まで砕石を充填しかつ締め固めればこの作業は終了である。
【０００７】
以上のとおりであり、この特許文献１の技術は優れたものであるが、円筒部の下端が開口しているため、前記回転軸の下端の螺旋部で地盤を掘削しつつ下降する際に該円筒部中に掘削土砂が進入してきてしまうものである。そこでこの特許文献１の技術を用いて砕石杭の形成を行う場合は、予め該円筒部中に砕石を投入し、その下部内側に砕石を滞留させておき、掘削の際の土砂の侵入をこれによって防止するような手順を必要とする。もっともこのように掘削作業時に開口部を閉じているのはこのような滞留砕石であるから、掘削孔にかかる地下水圧を完全に抑え、地下水の浸入を確実に防止するのは困難である。またこの特許文献１の技術を用いた砕石杭の形成工程では、砕石杭の周囲の地盤は締め固められた状態にならないので、地盤補強対象の敷地内の地盤に高密度で多くの砕石杭を形成する必要が生じる。
【０００８】
特許文献２は、同一出願人の出願にかかるものであり、特許文献１の砕石杭形成用のアタッチメントおよびそのアタッチメントを備える砕石杭形成装置に関し、全体として、特許文献１のそれを僅かに変更したものである。
【０００９】
変更部分は、回転軸の最下部の螺旋部である地中掘削翼に加えてこれと離間させてその若干上方に付加掘削翼を構成したこと及び地中杭形成材投入孔である長孔の形状を拘束するトラス状の補強構造体を備えたことである。
【００１０】
前記付加掘削翼は地中掘削翼と同一方向の螺旋翼であり、砕石を充填し締め固めする際に、砕石を投入し回転軸を逆転させると、該付加掘削翼は、投入した砕石を上方に向かって掘削し、その下方の砕石に対して予備圧力を発生させることができるとされている。それ故、地中掘削翼は、そのように予備圧力を受けている砕石に更に下方への圧力を印加することができるので、円筒内に浸入しようとする地下水圧や地中圧（土圧）に打ち勝って砕石を下方に排出することができるとされている。
【００１１】
これはその通りであると思われるが、逆に、掘削作業時には、地中掘削翼によって相対的に押し上げられる掘削土砂が滞留砕石に圧接し、これを押し上げようとした場合に、前記付加掘削翼はその押し上げを妨げるよりは、滞留砕石に対して下方に掘削するように作用し、結局、該滞留砕石を押し上げるように作用することになる。それ故、掘削作業時に円筒部下端にかかる地中圧等による土砂の侵入を助長することになると思われる。
【００１２】
また前記のように、地中杭形成材投入孔である長孔の形状を拘束するトラス状の補強構造体を設けたことによって、その通りに円筒部が補強されると思われる。
【００１３】
その他は、特許文献１と同様である。特に問題があるのは、この技術を用いて形成される砕石杭の周囲の地盤は締め固められることはないので、地盤補強対象の敷地内に高密度で多くの砕石杭を形成する必要が生じる。
【先行技術文献】
【特許文献】
【００１４】
【特許文献１】特許第４４４５０３３号公報
【特許文献２】特開２０１１−６８８０号公報
【発明の概要】
【発明が解決しようとする課題】
【００１５】
本発明は、軟弱地盤において、砕石杭を形成する過程で、形成する砕石杭の周囲の地盤に振動又は連続打撃を加えることにより液状化現象を生じさせ、砕石杭自体を支持力の高いものとするのと同時に、その周囲の地盤を締め固めて全体としてより高い支持力を備えた地盤に変換するための砕石杭形成工法及びこれに用いる砕石杭形成装置を提供することを解決の課題とする。
【課題を解決するための手段】
【００１６】
本発明の１は、対象地盤の対象位置を設計深度まで掘り下げて掘削下穴を形成する下穴作成工程と、
前記掘削下穴より大径で、周側部に砕石装入口を、下端に開閉自在な砕石投入口を、それぞれ備えた円筒状ケーシングを、前記対象地盤の対象位置の前記掘削下穴上に直立状態に配置するケーシング設置工程と、
前記円筒状ケーシングの下端の砕石投入口を閉じた状態で、該円筒状ケーシングを介して前記掘削下穴の周囲の地盤に連続打撃加圧又は振動加圧を加え、該掘削下穴の周囲の地盤に液状化現象を生じさせながら該円筒状ケーシングを設計深度まで圧入するケーシング圧入工程と、
一回分の砕石投入量に見合った高さ分だけ該円筒状ケーシングを引き上げ、下端の砕石投入口を開いた上で、該円筒状ケーシングの周側部の砕石装入口を通じて一回分の投入量の砕石を装入し、下端の砕石投入口からその下方に生じた杭用穴中に砕石を投入し、引き続いて下端の砕石投入口を閉じた上で、該円筒状ケーシングを介して該杭用穴中に投入した砕石に連続打撃加圧又は振動加圧を加え、周囲の地盤に更に液状化現象を生じさせつつ、該投入した砕石を締め固め、その締め固めが完了すると、その後、一回分の砕石投入量に見合った高さ分だけの該円筒状ケーシングの引き上げから砕石の締め固めの完了までのサイクルを、前記杭用穴の高さ方向の全範囲について完了するまで繰り返す砕石投入締め固め工程と、
その後に、前記液状化現象で沈下した周囲の地盤上に盛土する盛土工程と、
をその順序で実行する砕石杭形成工法である。
【００１７】
本発明の２は、施工機本体に備えた二面リーダーであって、一側に回転駆動手段を、他側に連続打撃加圧手段又は振動加圧手段を、それぞれ備えたリーダーと、
前記回転駆動手段で回転駆動すべくこれに接続し、かつ前記リーダーに沿って垂下させた地盤の回転掘削用の回転掘削手段であって、該地盤に掘削下穴を形成するための回転掘削手段と、
前記連続打撃加圧手段又は前記振動加圧手段で連続打撃加圧又は振動加圧すべくこれに接続する、前記回転掘削手段で形成する掘削下穴より大径の円筒状ケーシングであって、周側に砕石装入口を、下端に砕石投入口を、それぞれ備え、該砕石投入口にこれを閉止した状態で締め固め用の加圧部を兼ねる開閉自在な閉塞手段を備え、かつ前記リーダーに沿って垂下させた円筒状ケーシングと、
で構成した本発明の１の砕石杭形成工法に用いる砕石杭形成装置である。
【００１８】
本発明の３は、本発明の２の砕石杭形成装置において、
前記閉塞手段を、
前記円筒状ケーシングの上端に上端を固設し、上部途中に伸縮駆動手段を挿入し、下端を該円筒状ケーシングの下端から突出させ、該円筒状ケーシングの軸心に沿って配したロッドと、
前記ロッドの下端に固設した、該ロッドの短縮時に前記砕石投入口を閉止し、伸長時に開放する閉塞部材であって、下部が該砕石投入口の閉止時に砕石の締め固め用の加圧部となる閉塞部材と、
前記砕石投入口の周縁部に構成した前記閉塞部材の受座と、
で構成したものである。
【００１９】
本発明の４は、本発明の３の砕石杭形成装置において、
前記閉塞部材を球状又は楕円球状に構成し、
前記受座を前記砕石投入口の周縁に沿う環状で、前記球状又は楕円球状の閉塞部材の背後の対応する一部が当接する凹面状に構成したものである。
【００２０】
本発明の５は、本発明の２の砕石杭形成装置において、
前記閉塞手段を、
前記円筒状ケーシングの上端に上端を固設し、上部途中に伸縮駆動手段を挿入し、下端を該円筒状ケーシングの下端から突出させ、該円筒状ケーシングの軸心に沿って配したロッドと、
前記砕石投入口に固設した円板状閉塞上板であって、合計で周方向の１８０度を越えない角度幅に開口した一以上の砕石投入用の上側開口部及び前記ロッドを摺動自在に貫通させる中央貫通穴を、それぞれ備えた円板状閉塞上板と、
前記ロッドの下端にその中心を固設した円板状閉塞下板であって、前記円板状閉塞上板の上側開口部と重なり合わないようにして、合計で周方向１８０度を越えない角度幅に開口した一以上の砕石投入用の下側開口部を備えた円板状閉塞下板と、
で構成し、該円板状閉塞上板及び該円板状閉塞下板の下面を砕石の締め固め用の加圧部を兼ねるものとしたものである。
【００２１】
本発明の６は、本発明の２、３、４又は５の砕石杭形成装置において、
前記回転掘削手段を長尺のスクリュウ部材で構成したものである。
【発明の効果】
【００２２】
本発明１の砕石杭形成工法によれば、円筒状ケーシングで砕石杭を作成するための杭用穴を形成するのに先だって、下穴作成工程で、該杭用穴より小径の掘削下穴を予め作成し、その後、該円筒状ケーシングを該掘削下穴上に配置して該円筒状ケーシングに連続打撃加圧又は振動加圧を加えることよって、その周囲の地盤に液状化を発生させつつ、該円筒状ケーシングを地盤中に設計深度まで圧入し、これによって前記杭用穴を作成するものである。
【００２３】
すなわち、本発明の１の砕石杭形成工法によれば、円筒状ケーシングに連続打撃加圧又は振動加圧を加え、これを地盤に圧入することによって設計深度の杭用穴を形成し、同時にその連続打撃加圧等により周囲地盤に液状化を生じさせ、周囲の地盤を締め固めるものであるが、通常用いることができる現実的な打撃加圧力又は振動加圧力によって、現実的なサイズの砕石杭を作成するのに適当な径の下端の閉じている円筒状ケーシングを地盤に圧入することは困難である。そこで、対象地盤の対象位置に前記のように予め該円筒状ケーシングの径より小径の掘削下穴を作成し、この上に該円筒状ケーシングを配置し、これに連続打撃加圧又は振動加圧を加えることでその圧入を可能ならしめ、同時にこの連続打撃加圧又は振動加圧によって周囲地盤に液状化現象を生じさせるものである。
【００２４】
要するに、本発明の１の砕石杭形成方法によれば、円筒状ケーシングを掘削下穴を利用しその上から加圧するものとしたため、比較的小さな連続打撃加圧力又は振動加圧力によって、対象の円筒状ケーシングの設計深度までの圧入と周囲地盤の液状化現象の発生とを同時に実現できるようにしたものである。
【００２５】
なお、前記下穴作成工程は、対応する掘削手段を用いて連続打撃加圧等によって行うことも不可能ではないが、以上の趣旨より、旋回掘削手段を採用するのが現実的である。
【００２６】
本発明の１の砕石杭形成工法によれば、ケーシング圧入工程に引き続く砕石投入締め固め工程で、杭用穴の最下部から最上部まで、複数回に亘って、杭用穴に適量の砕石を投入して投入砕石の締め固めのための連続打撃加圧又は振動加圧を行うが、この投入砕石の締め固めのための連続打撃加圧又は振動加圧は、同時に、周囲地盤に液状化現象をも生じさせるものである。
【００２７】
すなわち、本発明の砕石杭形成工法においては、投入砕石の締め固めを連続打撃加圧又は振動加圧で行うこととすることにより、この砕石投入締め固め工程でも、周囲地盤に液状化を生じさせるものである。
【００２８】
こうして、前記ケーシング圧入工程と以上の砕石投入締め固め工程とで周囲地盤に液状化現象を生じさせ、周囲地盤の締め固めを行うため、単に砕石杭を形成をするのみの場合に比べて高い支持力を得ることができる。またこの後に液状化現象を生じる虞を減少させることができる。
【００２９】
最後には、液状化現象で生じた周囲地盤の沈下を、そのエリアに盛土する必要が生じるが、簡単な工程である。全体として非常に高い支持力を得られる利点が大きい。盛土は、土砂又は砕石等の種々の盛土材を施すことで実行することができる。
【００３０】
本発明の２の砕石杭形成装置によれば、一台の装置で、本発明の１の砕石杭形成工法の掘削下穴の形成と、その後の盛土工程を除く全工程を行うことが可能であり、非常に能率的に実施できる利点がある。
【００３１】
本発明の３の砕石杭形成装置によれば、その閉塞手段による最下部の砕石投入口の開閉が簡明な構成で確実かつ適切に行われるものであり、円筒状ケーシングに装入した砕石を最下部の砕石投入口を通じて杭用穴に良好に投入することができる。また砕石投入口を閉じた状態では閉塞部材の下部側が砕石締め固め用の加圧部となるものであり、能率的に締め固めを行いうる利点がある。
【００３２】
本発明の４の砕石杭形成装置によれば、前記閉塞部材を球状又は楕円球状に構成したため、砕石を杭用穴に投入する際に、円筒状ケーシングの周側に構成した砕石装入口を通じて装入され、その内部を落下する砕石は、該閉塞部材の球状又は楕円球状の背後面（上部側の面）に接触してもその上に滞るようなことはなく、良好に滑り落ち杭用穴への投入を適切に行うことができる。投入後は、砕石投入口を閉じた上で、該閉塞部材の球状又は楕円球状の下面で極めて適切に投入砕石の締め固めを行うことができる。
【００３３】
本発明の５の砕石杭形成装置によれば、その閉塞手段による最下部の砕石投入口の開閉が簡明な構成で確実かつ適切に行われるものであり、円筒状ケーシングに装入した砕石を最下部の砕石投入口を通じて杭用穴に良好に投入することができる。また砕石投入口を閉じた状態では閉塞部材の下部側が砕石締め固め用の加圧部となるものであり、能率的に締め固めを行いうる利点がある。開閉のための動作がこの装置で採用しやすい昇降動作である利点がある。
【００３４】
本発明の６の砕石杭形成装置によれば、掘削下穴をスピーディにかつ簡単に形成することができる。
【図面の簡単な説明】
【００３５】
【図１】(a)は実施例の砕石杭形成工法に用いる砕石杭形成装置の正面概略説明図、(b)は側面概略説明図。
【図２】(a)は実施例の砕石杭形成工法に用いる砕石杭形成装置の振動加圧手段に連結した円筒状ケーシングの縦断面説明図、(b)はその一部切欠拡大図。
【図３】(a)は他の構成要素を省略した円筒状ケーシングの一部切欠正面図、(b)は(a)のＡ−Ａ線断面図、(c)は(b)の拡大図。
【図４】(a)は対象地盤の対象位置に砕石杭形成装置（施工機本体等は省略）の掘削手段を直立させて掘削の準備をした段階を示す正面説明図、(b)は掘削完了状態を示す断面概略説明図。
【図５】(a)は掘削下穴上に砕石杭形成装置の円筒状ケーシングを直立させた状態の正面断面説明図、(b)は円筒状ケーシングを設計深度手前まで圧入した状態を示す正面断面説明図。
【図６】(a)は砕石杭形成装置の円筒状ケーシングを設計深度まで圧入した状態を示す正面断面説明図、(b)は円筒状ケーシングを引き上げて杭用穴に砕石を投入している状態を示す正面断面説明図。
【図７】図６の(b)の部分拡大図。
【図８】(a)は杭用穴に終了直前まで砕石を投入し突き固めた状態を示す正面断面説明図、(b)は杭用穴の最上部まで砕石を投入し突き固めた状態を示す正面断面説明図。
【図９】液状化で沈下した周囲の地盤上に土砂を補い盛土層を形成した状態を示す正面断面説明図。
【図１０】(a)は砕石杭形成装置における他の円筒状ケーシングの構成を示す正面断面図、(b)は該円筒状ケーシングの砕石投入口を閉じる二枚の蓋体のうちの上方の蓋体を示す平面断面図、(c)は下方の蓋体を示す平面断面図。
【発明を実施するための形態】
【００３６】
以下、発明を実施するための形態を実施例に基づき、かつ添付図を参照しつつ詳細に説明する。
【００３７】
まず実施例の砕石杭形成装置の構成を説明し、次いでこれを用いた一実施例の砕石杭形成工法を説明する。
実施例の砕石杭形成装置は、図１(a)、(b)〜図３(a)〜(c)に示すように、施工機本体１と、これに備えた、一側に回転駆動手段２を、他側に振動加圧手段３を、それぞれ備えたリーダー４と、前記回転駆動手段２に接続した回転掘削手段５と、前記振動加圧手段３に接続する円筒状ケーシング６であって、周側に砕石装入口６ａ、６ａ…を、下端に砕石投入口６ｂを、それぞれ備え、かつ該砕石投入口６ｂにこれを閉止した状態で締め固め用の加圧部を兼ねる開閉自在な閉塞手段６ｃを構成した円筒状ケーシング６と、で構成したものである。
【００３８】
前記施工機本体１は、建設機械に一般的に用いられるそれであり、前記リーダー４も同様に建設機械に一般的に用いられているそれである。前記回転駆動手段２も種々の旋回型の掘削手段を回転駆動する一般的な公知の手段であり、前記振動加圧手段３も建設機械で行われる振動加圧のために一般的に用いられるそれである。前記回転駆動手段２及び前記振動加圧手段３のそれぞれをリーダー４に沿って昇降させる手段も既存の公知のそれを用いるものである。
【００３９】
前記回転掘削手段５は、図１(a)に示すように、長尺のスクリュウ部材で構成し、前記回転駆動手段２の下端に接続し、かつ前記リーダー４に沿って垂下状態に配したものである。これによる掘削径は、砕石を投入して砕石杭を作成するための杭用穴１２の径より若干小径とする。なお、この実施例では、回転掘削手段５として以上のように長尺のスクリュウ部材を採用したが、杭用穴１２より若干小径の掘削下穴１１を容易に作成できるものであれば他の手段を採用することも自由である。
【００４０】
前記円筒状ケーシング６は、前記し、図１(a)、(b)〜図３(a)〜(c)に示すように、前記振動加圧手段３に接続し、周側に砕石装入口６ａ、６ａ…を、下端に砕石投入口６ｂを、該砕石投入口６ｂに閉塞手段６ｃを構成した部材であり、。その本体は、基本的に円筒状の金属部材である。該円筒状ケーシング６はこの外径に相当する杭用穴１２を作成する手段であり、その杭用穴１２に砕石を投入する手段でもあり、かつ投入した砕石を締め固める手段でもある。更には周囲の地盤に液状化現象を生じさせる手段でもある。
【００４１】
前記砕石装入口６ａ、６ａ…は、図３(a)〜(c)に示すように、この実施例では、円筒状ケーシング６の正面側及び裏面側に複数個をその長さ方向に沿って定間隔で配したものである。正面側と裏面側とには交互に配するものとする。個々の砕石装入口６ａは、長方形状の開口部に板状のゴム材６ａ１、６ａ１を中央部で重なり合った状態に配し、図６(b)等に示すように、砕石供給手段１３の筒状装入路１４をその隙間から挿入できるようにしたものである。
【００４２】
前記砕石投入口６ｂは、図２(a)、(b)に示すように、前記円筒状ケーシング６の最下部の開口部である。この開口部には閉塞手段６ｃを構成してある。この閉塞手段６ｃは、この実施例では、該円筒状ケーシング６の上端に上部を固設し、上部途中に油圧シリンダ（伸縮駆動手段）６ｃ１を挿入し、下端を該円筒状ケーシング６の下部開口である砕石投入口６ｂから突出させ、該円筒状ケーシング６の軸心に沿って配したロッド６ｃ２と、該ロッド６ｃ２の下端に固設した閉塞部材６ｃ３と、前記砕石投入口６ｂの周縁部に構成した該閉塞部材６ｃ３の受座６ｃ４と、で構成したものである。
【００４３】
前記ロッド６ｃ２は、前記のように、その上部を前記円筒状ケーシング６の最上部に固設するものであるが、図２(a)、(b)に示すように、該円筒状ケーシング６の上端には、円板状の蓋体６ｄを固設してあり、該ロッド６ｃ２の上部は、該蓋体６ｄの中央部を貫通させるとともに溶接固定してあるものである。該ロッド６ｃ２の上端は更に若干上方に突き出ており、前記振動加圧手段３に連結しているものである。従って、同時に、円筒状ケーシング６もまた振動加圧手段３に連結していることになる。
【００４４】
前記油圧シリンダ６ｃ１は、前記し、かつ図２(a)、(b)に示すように、前記ロッド６ｃ２の上部途中に挿入して該ロッド６ｃ２を伸縮可能にしている。該ロッド６ｃ２の上部側は該油圧シリンダ６ｃ１のシリンダ後部に結合し、該ロッド６ｃ２の下部側はピストンロッドの先端に結合している。該油圧シリンダ６ｃ１に圧油を供排する図示しないホース類は、前記円筒状ケーシング６の上端の蓋体６ｄに開口した図示しない貫通孔を通じて該円筒状ケーシング６内に導入され、該油圧シリンダ６ｃ１に接続している。この油圧シリンダ６ｃ１は、これが縮小した状態で前記閉塞部材６ｃ３が該円筒状ケーシング６の最下部の砕石投入口６ｂの周側に沿った配した受座６ｃ４に接触して該砕石投入口６ｂを閉じ、伸長状態で該砕石投入口６ｂを開くようになっている。
【００４５】
前記閉塞部材６ｃ３は、図２(a)、(b)に示すように、楕円球状の金属部材であり、油圧シリンダ６ｃ１の伸長状態で、前記受座６ｃ４から離れ前記砕石投入口６ｂを開き、前記砕石装入口６ａから装入され落下してきた砕石を該砕石投入口６ｂからその下方に形成された杭用穴１２に投入可能とする。該閉塞部材６ｃ３は、前記のように、全体が楕円球状であり、その背後側、すなわち、ロッド６ｃ２と連結する側も楕円球面状であり、落下してきた砕石類はその上に堆積することなく滑り落ち、杭用穴１２中に良好に投入することができることになる。
【００４６】
該閉塞部材６ｃ３は、前記油圧シリンダ６ｃ１の短縮状態では、前記したように、その背後側の一部が前記受座６ｃ４に着座して前記砕石投入口６ｂを閉じることになる。該受座６ｃ４は、前記し、図２(a)、(b)に示すように、該砕石投入口６ｂの周縁に、前記油圧シリンダ６ｃ１の短縮によって後退した（上昇動作した）閉塞部材６ｃ３の背後側の環状の一部が密着できるように配した環状の部材であり、該閉塞部材６ｃ３の該当する部位に対応する凹面状に構成したものである。なお、この受座６ｃ４の上部側も、その上に砕石類が堆積することのないように、直ちに前記円筒状ケーシング６の内面に戻る段差状にせず、上方に伸びながら徐々に該円筒状ケーシング６に戻る斜面状に構成したものである。
【００４７】
なお、該閉塞部材６ｃ３の下部側は、前記油圧シリンダ６ｃ１が短縮し、前記受座６ｃ４に着座状態で、下方の杭用穴１２中の砕石を締め固める（突き固める）ための加圧部を構成する。
【００４８】
この実施例の砕石杭形成装置は、以上のような構成であり、砕石杭形成工法は、以上の砕石杭形成装置を用いて行うことができる。
【００４９】
先ずその概要を説明すると、この実施例の砕石杭形成工法は、前記砕石杭形成装置の回転掘削手段５を用いて、対象地盤ｇの対象位置を設計深度まで掘り下げて掘削下穴１１を形成する下穴作成工程と、
前記砕石杭形成装置の、前記掘削下穴１１より大径の円筒状ケーシング６を、前記下穴作成工程で作成した前記対象地盤ｇの掘削下穴１１上に直立状態に配置するケーシング設置工程と、
前記円筒状ケーシング６の下端の砕石投入口６ｂを閉じた状態で、該円筒状ケーシング６を介して前記掘削下穴１１の周囲の地盤ｇに振動加圧を加え、該掘削下穴１１の周囲の地盤ｇに液状化現象を生じさせながら該円筒状ケーシング６を設計深度まで圧入するケーシング圧入工程と、
一回分の砕石投入量に見合った高さ分だけ該円筒状ケーシング６を引き上げ、下端の砕石投入口６ｂを開いた上で、該円筒状ケーシング６の周側部の適当な砕石装入口６ａを通じて一回分の投入量の砕石を装入し、下端の砕石投入口６ｂからその下方に生じた杭用穴１２中に砕石を投入し、引き続いて下端の砕石投入口６ｂを閉じた上で、該円筒状ケーシング６を介して該杭用穴１２中に投入した砕石に振動加圧を加え、周囲の地盤に更に液状化現象を生じさせつつ、該投入した砕石を締め固め、その締め固めが完了すると、その後、一回分の砕石投入量に見合った高さ分だけの該円筒状ケーシング６の引き上げから投入砕石の締め固めの完了までのサイクルを、前記杭用穴１２の高さ方向の全範囲について完了するまで繰り返す砕石投入締め固め工程と、
その後に、前記液状化現象で沈下した周囲の地盤ｇ上に土砂を施す盛土工程と、
をその順序で実行するものである。
【００５０】
前記下穴作成工程では、図４(a)に示すように、前記施工機本体１を動かして、対象地盤ｇの対象位置にスクリュウ部材である回転掘削手段５を直立状態に配置し、次いで、前記回転駆動手段２を回転駆動動作させつつリーダー４に沿って下降させ地盤ｇの掘削動作を行う。地盤ｇは、図４(b)に示すように、設計深度まで掘削し、掘削下穴１１を形成する。
【００５１】
前記ケーシング設置工程では、前記回転掘削手段５及び回転駆動手段２をリーダー４に沿って引き上げた上で、前記施工機本体１を動かして、図５(a)に示すように、円筒状ケーシング６を前記下穴作成工程で形成した掘削下穴１１の上に直立させる。該円筒状ケーシング６は、その軸心を掘削下穴１１の軸心に一致させてその上に直立状態に配するのが適当である。
【００５２】
前記ケーシング圧入工程は、以上のケーシング設置工程に引き続いて行う。前記のように、下端の砕石投入口６ｂを閉じて行うものである。該砕石投入口６ｂは、前記油圧シリンダ６ｃ１を短縮動作させ、前記ロッド６ｃ２の下端の閉塞部材６ｃ３を前記受座６ｃ４に着座させることで閉じる。円筒状ケーシング６の圧入動作は、ロッド６ｃ２の上部を介して連結している振動加圧手段３に振動加圧動作をさせて行う。振動加圧の周波数及び加圧力の強さは、該円筒状ケーシング６の径の大きさ及び周囲の地盤ｇの状態に対応して適切に設定する。本件の砕石杭形成工法を実施する地盤ｇは、Ｎ値が５以下程度である場合を概ね前提とするので、そのような観点から設定する。また実施過程でも、周囲地盤ｇの液状化現象の発生状況を観察してその状況に応じて周波数を上げ又は下げ、或いは加圧力を変更するのが適当である。
【００５３】
こうして、前記振動加圧手段３を振動加圧動作させて、周囲の地盤ｇに液状化現象を発生させながら、図５(b)に示すように、円筒状ケーシング６を地盤ｇ中に圧入する。なお、この場合、予め前記下穴作成工程で掘削下穴１１が作成してあり、これと軸心を一致させて円筒状ケーシング６を圧入するものであるため、現実的に容易に採用可能な振動加圧手段３で圧入可能なものとなる。また、以上のように、周囲地盤ｇに液状化現象を生じさせるものであるため、周囲地盤ｇが締め固められ、円筒状ケーシング６の圧入によって形成される杭用孔１２に充填して形成される砕石杭の支持力を高めることができる。このケーシング圧入工程は、図６(a)に示すように、前記掘削下穴１１の最下部まで、すなわち、設計深度まで円筒状ケーシング６を圧入して完了である。
【００５４】
前記砕石投入締め固め工程は、前記のように、ケーシング圧入工程に引き続いて行う。
これは、前記のように、円筒状ケーシング６を一回分の砕石投入量に見合った高さ分だけ引き上げることからスタートする。そこで、図６(b)及び図７に示すように、該円筒状ケーシング６を前記リーダー４に沿って引き上げ、その最下部の砕石投入口６ｂを開く。前記したように、前記油圧シリンダ６ｃ１を伸長動作させ、ロッド６ｃ２の最下端の閉塞部材６ｃ３を該砕石投入口６ｂの受座６ｃ４から下降離脱させる（図２(a)、(b)参照）ことで、該砕石投入口６ｂを開く。
【００５５】
その後、該円筒状ケーシング６の上部周側の砕石装入口６ａ、６ａ…のうち、地表に近い適当なそれを選んで、そこから該円筒状ケーシング６中に砕石１５を装入する。この砕石１５の装入は、この実施例では、砕石供給手段１３及びその下部から延長し、先端を砕石装入口６ａに差し込んだ筒状装入路１４を通じて行った。該筒状装入路１４は、その先端を重なり合う板状のゴム材６ａ１、６ａ１の隙間を拡げてそこから挿入したものである。
【００５６】
こうして円筒状ケーシング６中に適量の砕石１５を装入すると、これは、言うまでもなく、その中を落下し、最下部の前記砕石投入口６ｂも通過してその下方に落ちることになる。多くの場合は、下方に位置する閉塞部材６ｃ３の背後側（上部側）に衝突し、ここで滑って外側に移動しつつその下方に落下し、前記図６(b)及び図７に示すように、杭用穴１２中に充填されることになる。
【００５７】
この後、前記油圧シリンダ６ｃ１を短縮動作させ、ロッド６ｃ２の下端の閉塞部材６ｃ３をその背後側（上部側）が前記受座６ｃ４に着座するまで引き上げ、前記砕石投入口６ｂを閉じる。次いで、前記したように、前記振動加圧手段３を動作させ、杭用穴１２に充填した砕石１５に振動加圧を加え、これを締め固める。そしてこれと同時に、該砕石１５への振動加圧により、その周囲の地盤ｇに液状化現象を生じさせる。前記ケーシング圧入工程で周囲地盤ｇは液状化を生じているので、この工程では、若干起きにくくなっているが、間隙水が残っていれば生じる可能性があり、これをできるだけ発生させる。
【００５８】
杭用穴１２中に充填した砕石１５の締め固めが完了した後は、以上のサイクルを繰り返す。繰り返しは、前記杭用穴１２の高さ方向の全範囲について砕石１５の充填及び締め固めが完了するまで行う。図８(a)は、最後の一回分の砕石投入と締め固めを残して締め固めを完了した状態を示しており、図８(b)は前記砕石投入締め固め工程の完了状態を示している。
【００５９】
前記盛土工程は、砕石投入締め固め工程に引き続いて行う。
以上の砕石投入締め固め工程までで、図８(b)に示すように、これまでに形成された砕石杭の周囲の地盤ｇには、液状化現象にともないその沈下現象が生じており、図９に示すように、この部位を土砂で埋めて元来の地盤ｇの高さを確保する。図中１６は土砂を施して形成した盛土層である。土砂に代えて砕石その他の種々の盛り土用材を施しても良い。この盛土工程を終えれば、砕石杭形成工法は完了である。対象地盤ｇの地盤改良については、その領域内の必要設置場所の全てについて、砕石杭形成工法を実施することで、それは完了する。
【００６０】
なお、図１０(a)、(b)、(c)は、先の実施例の砕石投入口６ｂを開閉する閉塞手段の他の実施例を示すものである。
この閉塞手段は、以下のように構成する。
前記円筒状ケーシング６の上端に固設した蓋体６ｄの中央部にロッド６ｃ２の上部途中を貫通させかつ固設し、該ロッド６ｃ２の上端は振動加圧手段３に結合する。該ロッド６ｃ２の下端に円板状閉塞下板６ｃ５を結合し、かつ該ロッド６ｃ２の蓋体６ｄとの結合部の直下には油圧シリンダ６ｃ１を挿入し、該ロッド６ｃ２の下端の該円板状閉塞下板６ｃ５を昇降可能とする。また砕石投入口６ｂを構成する円筒状ケーシング６の最下端に、以上の円板状閉塞下板６ｃ５に上下対応する円板状閉塞上板６ｃ６を固設したものである。
【００６１】
該円板状閉塞上板６ｃ６は、その中央部に、前記ロッド６ｃ２を昇降自在に貫通させる貫通穴６ｃ６２を備え、その周縁部は、前記し、図１０(a)に示すように、前記円筒状ケーシング６の下端に固設したものである。該円板状閉塞上板６ｃ６の前記貫通穴６ｃ６２と周縁部との間の領域には、図１０(b)に示すように、各々９０度を僅かに下回る角度幅の二つの上側開口部６ｃ６１、６ｃ６１を、該円板状閉塞上板６ｃ６の中心点を対称点として点対称に構成した。核上側開口部６ｃ６１、６ｃ６１は、同図に示すように、セクター状である。
【００６２】
前記円板状閉塞下板６ｃ５は、前記し、同図に示すように、その中心部で前記ロッド６ｃ２の下端に固設し、前記円板状閉塞上板６ｃ６の上側開口部６ｃ６１、６ｃ６１と同様の寸法形状の二つの下側開口部６ｃ５１、６ｃ５１を該円板状閉塞上板６ｃ６のそれらとは位相を異にして構成したものである。要するに、円板状閉塞下板６ｃ５の二つの下側開口部６ｃ５１、６ｃ５１と円板状閉塞上板６ｃ６の上側開口部６ｃ６１、６ｃ６１とは重なり合わないように構成したものである。
【００６３】
前記円板状閉塞上板６ｃ６及び前記円板状閉塞下板６ｃ５の下面は、前記油圧シリンダ６ｃ１を短縮動作させ、該円板状閉塞上板６ｃ６に該円板状下板６ｃ５を接合した状態（前記砕石投入口６ｂを閉じた状態）で、杭用穴１２中に投入した砕石１５の締め固め用の加圧部を兼ねるものである。なお、前記円板状閉塞上板６ｃ６については、前記円板状下板６ｃ５の下側開口部６ｃ５１、６ｃ５１を通じて下方に露出している下面のみが加圧部を兼ねる。
【００６４】
従ってこの閉塞手段は先に示したそれとほぼ同様に作用する。
前記円筒状ケーシング６の下端、すなわち、砕石投入口６ｂを閉じる場合は、前記油圧シリンダ６ｃ１を短縮動作させ、前記ロッド６ｃ２の下端の円板状閉塞下板６ｃ５を上昇させ、前記円板状閉塞上板６ｃ６に接合状態とする。この状態で、円板状閉塞上板６ｃ６の上側開口部６ｃ６１、６ｃ６１は、円板状閉塞下板６ｃ５の下側開口部６ｃ５１、６ｃ５１以外の部分で、円板状閉塞下板６ｃ５の下側開口部６ｃ５１、６ｃ５１は、円板状閉塞上板６ｃ６の上側開口部６ｃ６１、６ｃ６１以外の部分で相互に閉じることとなり、前記砕石投入口６ｂは完全に閉じた状態となる。
【００６５】
前記砕石投入口６ｂを開く場合は、前記油圧シリンダ６ｃ１を伸長動作させ、前記円板状閉塞上板６ｃ６と円板状閉塞下板６ｃ５とを上下に離間させれば良い。前者の上側開口部６ｃ６１、６ｃ６１と後者の下側開口部６ｃ５１、６ｃ５１とは、それぞれ全体として周方向１８０度の角度幅を僅かに下回る程度の角度幅の開口部であり、上下対応していないが、このとき、それぞれの開口部は、前記円板状上板６ｃ６と前記円板状下板６ｃ５の間の隙間を通じて連通状態となっている。投入する砕石１５は、まず上側開口部６ｃ６１、６ｃ６１を通じて落下し、円筒状閉塞下板６ｃ５の下側開口部６ｃ５１、６ｃ５１以外の部分に載ることになるが、重なり合ったそれは、高さが高くなり不安定になると、崩れて徐々に該下側開口部６ｃ５１、６ｃ５１側に移動して、その下方に落下し、或いは振動等を加えれば、種々に移動し、いずれは該下側開口部６ｃ５１、６ｃ５１側に移動してその下方に落下する。こうして砕石１５の投入は可能になる。
【００６６】
前記円筒状ケーシングの掘削下穴１１を利用しての地盤ｇへの圧入は、前記砕石投入口６ｂを閉じた状態で行う。
また杭用穴１２中に投入した砕石１５の締め固めも砕石投入口６ｂを閉じた状態で行う。後者の場合は、前記したように、前記円板状閉塞上板６ｃ６及び前記円板状閉塞下板６ｃ５の下面が砕石１５に対する加圧部となる。
【産業上の利用可能性】
【００６７】
本発明の砕石杭形成工法及びこれに用いる砕石杭形成装置は、土木工事の分野及び土木工事用部材の製造業の分野で有効に利用することができる。
【符号の説明】
【００６８】
１    施工機本体
２    回転駆動手段
３    振動加圧手段
４    リーダー
５    回転掘削手段
６    円筒状ケーシング
６ａ  砕石装入口
６ａ１  板状のゴム材
６ｂ  砕石投入口
６ｃ  閉塞手段
６ｃ１  油圧シリンダ（伸縮駆動手段）
６ｃ２  ロッド
６ｃ３  閉塞部材
６ｃ４  受座
６ｃ５  円板状閉塞下板
６ｃ５１  下側開口部
６ｃ６  円板状閉塞上板
６ｃ６２  貫通穴
６ｃ６１  上側開口部
６ｄ  円板状の蓋体
１１  掘削下穴
１２  杭用穴
１３  砕石供給手段
１４  筒状装入路
１５  砕石
１６  盛土層
ｇ    地盤
【図１】
2013204405.tif 000003
【図２】
2013204405.tif 000004
【図３】
2013204405.tif 000005
【図４】
2013204405.tif 000006
【図５】
2013204405.tif 000007
【図６】
2013204405.tif 000008
【図７】
2013204405.tif 000009
【図８】
2013204405.tif 000010
【図９】
2013204405.tif 000011
【図１０】
2013204405.tif 000012